Podtech/llm-jp-corpus-v4-ja_patent huggingface dataset:
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
複数の異なる属性の領域を含む画像データから値を取得して出力する情報処理装置であって、
前記画像データの中で、文字列で書かれた文字領域を特定する文字領域特定手段と、
前記文字領域の中にあるキー文字列を複数箇所で特定するキー文字列特定手段と、
前記複数箇所で特定したキー文字列毎にそれぞれ対応づけられた位置条件に合致する領域にある値を、前記出力するべく取得する取得手段と
を備え、
前記キー文字列毎にそれぞれ対応づけられた位置条件が設定された設定情報を予め記憶することを特徴とする情報処理装置。
【請求項２】
前記位置条件は、前記キー文字列のある領域と前記値のある領域との間の方向に関する条件を含むことを特徴とする請求項１に記載の情報処理装置。
【請求項３】
複数の異なる属性の領域を含む画像データから値を取得して出力する情報処理装置であって、
前記画像データの中で、文字列で書かれた文字領域を特定する文字領域特定手段と、
前記文字領域の中にあるキー文字列を特定するキー文字列特定手段と、
前記特定したキー文字列に対応づけられた位置条件に合致する領域にある値を、前記出力するべく取得する取得手段と
を備え、
前記キー文字列に対応づけられた複数の位置条件が設定された設定情報を予め記憶することを特徴とする情報処理装置。
【請求項４】
前記複数の位置条件は、複数の異なる種類の位置条件であることを特徴とする請求項３に記載の情報処理装置。
【請求項５】
前記複数の異なる種類の位置条件は、前記キー文字列のある領域と前記値のある領域との間の方向および間隔に関する条件を含むことを特徴とする請求項４に記載の情報処理装置。
【請求項６】
前記特定された文字領域にある文字列が複数行の文字列か否かを判定する複数行判定手段と、
前記複数行判定手段により複数行と判定された場合に、行ごとの文字領域を生成する生成手段と
を更に備え、
前記キー文字列特定手段は、前記生成手段により生成された文字領域の中にあるキー文字列を特定することを特徴とする請求項１〜５のいずれか１項に記載の情報処理装置。
【請求項７】
前記文字領域は、ブロックセレクションにより得られた領域であることを特徴とする請求項１〜６のいずれか１項に記載の情報処理装置。
【請求項８】
前記設定情報を生成すべく、前記特定された文字領域を表示する表示手段と、
前記キー文字列のある領域を、前記表示手段で表示された文字領域から選択する第１の選択手段と、
前記値のある領域を、前記表示手段で表示された文字領域から選択する第２の選択手段と、
前記第１の選択手段により選択されたキーのある領域の領域情報と前記第２の選択手段により選択された値のある領域の領域情報に従って、前記キーのある領域に対応する前記値のある領域の位置を特定する特定手段と
前記特定手段により特定された位置を前記キー文字列に対応する前記位置条件として設定する設定手段と
を更に備えることを特徴とする請求項１〜７のいずれか１項に記載の情報処理装置。
【請求項９】
前記第１の選択手段で選択されたキーのある領域と、第２の選択手段で選択された値のある領域とを識別可能に表示する識別表示手段を更に備えることを特徴とする請求項８に記載の情報処理装置。
【請求項１０】
複数の異なる属性の領域を含む画像データから値を取得して出力する情報処理装置の処理方法であって、
文字領域特定手段が、前記画像データの中で、文字列で書かれた文字領域を特定する文字領域特定ステップと、
キー文字列特定手段が、前記文字領域の中にあるキー文字列を複数箇所で特定するキー文字列特定ステップと、
取得手段が、前記複数箇所で特定したキー文字列毎にそれぞれ対応づけられた位置条件に合致する領域にある値を、前記出力するべく取得する取得ステップと
を備え
前記キー文字列に対応づけられた複数の位置条件が設定された設定情報を予め記憶することを特徴とする処理方法。
【請求項１１】
複数の異なる属性の領域を含む画像データから値を取得して出力する情報処理装置において実行可能なプログラムであって、
前記情報処理装置を、
前記画像データの中で、文字列で書かれた文字領域を特定する文字領域特定手段と、
前記文字領域の中にあるキー文字列を複数箇所で特定するキー文字列特定手段と、
前記複数箇所で特定したキー文字列毎にそれぞれ対応づけられた位置条件に合致する領域にある値を、前記出力するべく取得する取得手段
として機能させ、
前記キー文字列毎にそれぞれ対応づけられた位置条件が設定された設定情報を予め記憶することを特徴とするプログラム。
【手続補正２】
【補正対象書類名】明細書
【補正対象項目名】０００９
【補正方法】変更
【補正の内容】
【０００９】
本発明の目的を達成するための、複数の異なる属性の領域を含む画像データから値を取得して出力する情報処理装置であって、前記画像データの中で、文字列で書かれた文字領域を特定する文字領域特定手段と、前記文字領域の中にあるキー文字列を複数箇所で特定するキー文字列特定手段と、前記複数箇所で特定したキー文字列毎にそれぞれ対応づけられた位置条件に該当する領域にある値を、前記出力するべく取得する取得手段とを備え、前記キー文字列毎にそれぞれ対応づけられた位置条件が設定された設定情報を予め記憶することを特徴とする。
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
熱伝導性材料よりなるヒートシンクの表面上に複数の発光素子が配置された光源ユニットの複数と、これらの複数の光源ユニットにおけるヒートシンクの裏面に配設された、当該複数の光源ユニットに共通の冷却ブロックとを備えており、
前記ヒートシンクには、その内部に、冷却媒体を流通させるための冷却流路が形成されており、
前記冷却流路は、流路幅が流路高さより大きく、前記ヒートシンクの表面に沿って伸びる扁平な断面形状を有し、当該冷却流路における冷却媒体供給口および当該冷却媒体排出口が、それぞれ前記冷却ブロックに形成された冷却媒体供給流路および冷却媒体排出流路に接続されており、
前記冷却流路は、前記ヒートシンクの表面上における複数の発光素子が配置される発光素子配置領域の直下領域において、互いに連続し、熱伝導性隔壁部を介して隣接する複数の流路部分を有しており、当該熱伝導性隔壁部の厚みが、当該冷却流路の流路幅より小さく、
前記複数の光源ユニットにおける冷却流路の各々の冷却媒体供給口および冷却媒体排出口が、前記冷却ブロックにおける共通の冷却媒体供給流路および共通の冷却媒体排出流路に接続されていることを特徴とする発光素子光源モジュール。
【請求項２】
前記冷却流路は、前記発光素子配置領域の一縁に沿って伸びる第１の流路部分と、当該第１の流路部分の冷却媒体流出口に連続し、前記熱伝導性隔壁部を介して当該第１の流路部分と同一方向に伸びる第２の流路部分とを有していることを特徴とする請求項１に記載の発光素子光源モジュール。
【請求項３】
前記冷却媒体供給口および冷却媒体排出口が、各々、前記直下領域外に設けられていることを特徴とする請求項２に記載の発光素子光源モジュール。
【請求項４】
前記冷却流路は、流路高さに対する流路幅の比が１．５〜３．５であることを特徴とする請求項１〜請求項３のいずれかに記載の発光素子光源モジュール。
【請求項５】
前記光源ユニットを、前記ヒートシンクの表面に垂直な方向に透視したとき、前記発光素子配置領域における、前記冷却流路が占める領域部分の面積が、当該発光素子配置領域の面積に対して８０％以上であることを特徴とする請求項１〜請求項４のいずれかに記載の発光素子光源モジュール。
【手続補正２】
【補正対象書類名】明細書
【補正対象項目名】０００７
【補正方法】変更
【補正の内容】
【０００７】
本発明の発光素子光源モジュールは、熱伝導性材料よりなるヒートシンクの表面上に複数の発光素子が配置された光源ユニットの複数と、これらの複数の光源ユニットにおけるヒートシンクの裏面に配設された、当該複数の光源ユニットに共通の冷却ブロックとを備えており、
前記ヒートシンクには、その内部に、冷却媒体を流通させるための冷却流路が形成されており、
前記冷却流路は、流路幅が流路高さより大きく、前記ヒートシンクの表面に沿って伸びる扁平な断面形状を有し、当該冷却流路における冷却媒体供給口および当該冷却媒体排出口が、それぞれ前記冷却ブロックに形成された冷却媒体供給流路および冷却媒体排出流路に接続されており、
前記冷却流路は、前記ヒートシンクの表面上における複数の発光素子が配置される発光素子配置領域の直下領域において、互いに連続し、熱伝導性隔壁部を介して隣接する複数の流路部分を有しており、当該熱伝導性隔壁部の厚みが、当該冷却流路の流路幅より小さく、
前記複数の光源ユニットにおける冷却流路の各々の冷却媒体供給口および冷却媒体排出口が、前記冷却ブロックにおける共通の冷却媒体供給流路および共通の冷却媒体排出流路に接続されていることを特徴とする。
【手続補正３】
【補正対象書類名】明細書
【補正対象項目名】００１１
【補正方法】削除
【補正の内容】
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
遊技機の前面側に配設された操作部の操作を検知する操作検知手段と、
該操作検知手段によりコード取得操作が検知されることを条件に、取得コードを生成する取得コード生成手段と、
該取得コード生成手段により生成された前記取得コードを、表示装置に表示する取得コード表示手段と、
前記操作検知手段によりコード入力操作が検知されることを条件に、入力された入力コードに基づいて遊技開始時の表示モードを決定するモード決定手段と、
遊技者に有利な特典遊技状態への移行条件が成立したことに基づき、前記特典遊技状態を実行する遊技実行手段と
を備え、
前記遊技実行手段により実行される前記特典遊技状態は複数あり、
前記取得コード生成手段は、前記コード取得操作が検知されたときに複数の前記特典遊技状態のいずれが実行されているか否かに基づいて取得コードを生成するように構成され、
前記モード決定手段は、前記特典遊技状態の実行中に取得された取得コードに基づいて生成された前記入力コードであるとき、他の契機によるモード移行では表示することのない複数の特別なモードから、いずれの前記特典遊技であったかに応じて選択された特別なモードを前記表示モードとして決定することを特徴とする遊技機。
【手続補正２】
【補正対象書類名】明細書
【補正対象項目名】０００６
【補正方法】変更
【補正の内容】
【０００６】
上記課題を解決するためになされた本発明の請求項１に記載の遊技機は、遊技機の前面側に配設された操作部の操作を検知する操作検知手段と、該操作検知手段によりコード取得操作が検知されることを条件に、取得コードを生成する取得コード生成手段と、該取得コード生成手段により生成された前記取得コードを、表示装置に表示する取得コード表示手段と、前記操作検知手段によりコード入力操作が検知されることを条件に、入力された入力コードに基づいて遊技開始時の表示モードを決定するモード決定手段と、遊技者に有利な特典遊技状態への移行条件が成立したことに基づき、前記特典遊技状態を実行する遊技実行手段とを備え、前記遊技実行手段により実行される前記特典遊技状態は複数あり、前記取得コード生成手段は、前記コード取得操作が検知されたときに複数の前記特典遊技状態のいずれが実行されているか否かに基づいて取得コードを生成するように構成され、前記モード決定手段は、前記特典遊技状態の実行中に取得された取得コードに基づいて生成された前記入力コードであるとき、他の契機によるモード移行では表示することのない複数の特別なモードから、いずれの前記特典遊技であったかに応じて選択された特別なモードを前記表示モードとして決定することを特徴とする。
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
患者眼の組織にレーザ光を照射するレーザ治療装置であって、
レーザ光源によって出射されたレーザ光を走査し、前記組織においてレーザ光が照射される位置を切り換えるレーザ走査部と、
前記レーザ走査部の動作を制御するレーザ走査制御部とを備え、
前記レーザ走査制御部は、
前記組織上の第一スポットに対してレーザ光の照射を開始してから、前記第一スポットへのレーザ光の照射を休止させる休止時間を経て、前記第一スポットへのレーザ光の照射を再度開始させるまでの照射サイクルにおいて、前記休止時間中に前記第一スポット以外の１または複数の第二スポットに対して前記レーザ光を照射させることが可能であり、
前記照射サイクルを複数回繰り返すことで、複数のスポットの各々に対してレーザ光を複数回断続照射させる断続的照射治療を実行することを特徴とするレーザ治療装置。
【請求項２】
前記断続的照射治療を実行する場合、
前記レーザ光源から出射されるレーザ光は、オンとオフが交互に繰り返されことでパルス状に前記組織に照射され、
前記レーザ走査部は、前記組織に照射されるレーザ光のパルスを走査し、
１回の前記照射サイクルにおいてレーザ光を照射させるスポットの数に応じて、前記レーザ光源が出射するパルスの繰り返し周波数を調整する繰り返し周波数調整部をさらに備えたことを特徴とする請求項１に記載のレーザ治療装置。
【請求項３】
前記レーザ走査制御部は、レーザ光を照射する複数のスポットが共通している複数回の前記照射サイクルを連続して実行する場合、前記複数のスポットにおける各々の中心間距離を、互いに隣接する２つのスポットの中心間距離よりも長い距離離間させることが可能であることを特徴とする請求項１または２に記載のレーザ治療装置。
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
組織に対して血液灌流イメージングスキャンを行うことで取得した医用画像の時系列画像から、前記組織に血液を供給する主要な血管が位置する領域を流入部分として抽出し、前記流入部分に基づいて、前記血液の流入の時間濃度シーケンスを流入時系列として取得する流入抽出ユニットと、
前記流入時系列に従う変化であって前記組織における各点の血流の変化を表すモデルと、前記流入時系列と、前記時系列画像とに基づいて、前記モデルにおける、前記血液が前記流入部分から前記組織中の各点へ流れる間に経過した遅延を含むパラメータを推定するパラメータ推定ユニットと、
を備えることを特徴とする画像処理装置。
【請求項２】
ノイズを低減させるために、前記時系列画像が前記流入抽出ユニットに入力される前に、前記時系列画像にフィルタ処理を行うフィルタユニットを、さらに備えることを特徴とする請求項１に記載の画像処理装置。
【請求項３】
前記パラメータ推定ユニットは、
前記モデルの前記流入時系列に対する応答を計算する応答計算モジュールと、
前記応答と前記時系列画像のピクセル値との間の差を用いて目的関数を作成する目的関数作成モジュールと、
前記目的関数に対して最適化を行い、前記モデルにおける各パラメータを取得する最適化モジュールと、
を備えることを特徴とする請求項１又は２に記載の画像処理装置。
【請求項４】
前記目的関数作成モジュールは、前記流入時系列の第１の期間における前記差を用いて、第１の目的関数を作成するとともに、前記流入時系列のうち第１の期間とは異なる期間を含む第２の期間における前記差を用いて、第２の目的関数を作成し、
前記最適化モジュールは、第１の目的関数と第２の目的関数との比較に基づいて、前記モデルにおける各パラメータを取得することを特徴とする請求項３に記載の画像処理装置。
【請求項５】
前記目的関数作成モジュールは、前記流入時系列の第１の期間における前記差を用いて、第１の目的関数を作成するとともに、前記流入時系列の前半を含む第２の期間における前記差を用いて、第２の目的関数を作成し、
前記最適化モジュールは、第１の目的関数と第２の目的関数とを同時に最小化することを特徴とする請求項３に記載の画像処理装置。
【請求項６】
各パラメータの分布図を生成し表示する表示ユニットを、さらに備えることを特徴とする請求項１又は２に記載の画像処理装置。
【請求項７】
前記流入抽出ユニットは、さらに、前記流入時系列に対して補間を行うことを特徴とする請求項１又は２に記載の画像処理装置。
【請求項８】
前記組織は肝臓組織であることを特徴とする請求項１又は２に記載の画像処理装置。
【請求項９】
前記モデルは、ガンマ分布に基づく累積分布関数であることを特徴とする請求項８に記載の画像処理装置。
【請求項１０】
前記流入抽出ユニットは、前記時系列画像から腹部大動脈と門静脈との関心領域を抽出して流入部分とし、かつ、腹部大動脈と門静脈との時間濃度シーケンスを取得し、さらに、
前記モデルは、前記腹部大動脈から肝臓組織における各点までの第１の遅延、及び、前記門静脈から肝臓組織における各点までの第２の遅延を遅延パラメータとして含むことを特徴とする請求項８に記載の画像処理装置。
【請求項１１】
前記第２の遅延は、肝臓組織全体の全ての点において均一な値であることを特徴とする請求項１０に記載の画像処理装置。
【請求項１２】
前記流入抽出ユニットは、前記腹部大動脈と門静脈との時間濃度シーケンスに対してガンマフィッティングを行うことで補間することを特徴とする請求項１０に記載の画像処理装置。
【請求項１３】
前記パラメータは、肝動脈灌流指数、肝動脈灌流量、門静脈灌流量、及びガンマ分布のパラメータを含むことを特徴とする請求項８に記載の画像処理装置。
【請求項１４】
請求項１乃至１３のいずれか一項に記載の画像処理装置を含むことを特徴とする医用画像診断装置。
【請求項１５】
画像処理装置によって実行される画像処理方法であって、
組織に対して血液灌流イメージングスキャンを行うことで取得した医用画像の時系列画像から、前記組織に血液を供給する主要な血管が位置する領域を流入部分として抽出し、前記流入部分に基づいて、前記血液の流入の時間濃度シーケンスを流入時系列として取得し、
前記流入時系列に従う変化であって前記組織における各点の血流の変化を表すモデルと、前記流入時系列と、前記時系列画像とに基づいて、前記モデルにおける、前記血液が前記流入部分から前記組織中の各点へ流れる間に経過した遅延を含むパラメータを推定する
各処理を含むことを特徴とする画像処理方法。
【請求項１６】
肝臓に対して血流灌流イメージングスキャンを行うことで取得した医用画像の時系列画像から前記肝臓に血流を提供する主要な血管が位置する領域を抽出して流入部分とし、且つ該流入部分に基づいて血流流入の時間濃度シーケンスを取得して流入時系列とする流入抽出ユニットと、
前記流入時系列、前記肝臓における各点の血流の前記流入時系列に従う変化を表す数式モデル及び前記時系列画像に基づいて、前記数式モデルに導入されるパラメータに対して推定を行うものであって、前記パラメータは、血液が前記流入部分から前記肝臓中の各点まで流れるまでに経過した遅延、肝動脈灌流指数、肝動脈灌流量、門静脈灌流量、及びガンマ分布のパラメータを含むパラメータ推定ユニットと、
を具備することを特徴とする画像処理装置。
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
乳癌患者における乳癌の再発を伴わない長期生存の可能性を予測する方法であって、
前記患者から得た乳癌腫瘍試料におけるユビキチン結合酵素Ｅ２Ｃ（ＵＢＥ２Ｃ）のＲＮＡ転写物のレベルを決定するステップと、
ＵＢＥ２Ｃの前記ＲＮＡ転写物の前記レベルを、前記試料における少なくとも１つの参照遺伝子のレベルに対して正規化して、ＵＢＥ２Ｃ  ＲＮＡの正規化されたレベルを得るステップと、
正規化されたＵＢＥ２Ｃ  ＲＮＡの発現が前記患者の乳癌の再発を伴わない長期生存の可能性を示すように、前記患者の乳癌の再発を伴わない長期生存の可能性を予測するステップと
を含み、
ここで、ＵＢＥ２Ｃ  ＲＮＡの正規化されたレベルの上昇が、乳癌の再発を伴わない長期生存の可能性の増加と負に相関する、方法。
【請求項２】
ＵＢＥ２Ｃの前記ＲＮＡ転写物の前記レベルが、全トランスクリプトーム配列決定、逆転写ポリメラーゼ連鎖反応（ＲＴ−ＰＣＲ）、またはアレイによって決定される、請求項１に記載の方法。
【請求項３】
前記乳癌腫瘍試料が、固定し蝋に包埋した組織試料である、請求項１または２に記載の方法。
【請求項４】
前記乳癌腫瘍試料が、細針生検試料である、請求項１または２に記載の方法。
【請求項５】
ＵＢＥ２Ｃ  ＲＮＡの前記正規化されたレベルの前記レベルに基づいて報告書を作成するステップをさらに含む、請求項１、２、３または４に記載の方法。
【請求項６】
前記乳癌患者が、エストロゲン受容体（ＥＲ）陽性乳癌患者である、請求項１〜５のいずれか１項に記載の方法。
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
第１入力回路、第１ラッチ、第２ラッチ、および第１出力回路を備える第１フリップフロップと、
第２入力回路、第３ラッチ、第４ラッチ、および第２出力回路を備える第２フリップフロップと、
前記第１フリップフロップおよび前記第２フリップフロップに共通のクロック信号を出力するクロックバッファと、
を具備し、
前記第２ラッチの第１出力端子は前記第１出力回路の入力端子に接続され、前記第２ラッチの第２出力端子は前記第２入力回路の入力端子に直接接続され、
前記第２入力回路は、前記第２ラッチの第２出力端子に接続される入力を有するクロックドインバータを備える
半導体集積回路。
【請求項２】
前記第２ラッチの第２出力端子と前記第１出力回路の出力端子とは、同位相の信号を出力する請求項１に記載の半導体集積回路。
【請求項３】
前記第２ラッチは、第１トランスファーゲートと、前記第１トランスファーゲートの出力に接続された入力を有する第１インバータと、前記第１インバータの出力に接続された入力を有する第２インバータと、前記第２インバータの出力に接続された入力および前記第１インバータの入力に接続された出力を有する第２トランスファーゲートとを備え、
前記第２ラッチの第２出力端子は、前記第２インバータの出力と前記第２トランスファーゲートの入力との接続端子である
請求項１または請求項２に記載の半導体集積回路。
【請求項４】
前記第２ラッチは、第１トランスファーゲートと、前記第１トランスファーゲートの出力に接続された入力を有する第１インバータと、前記第１インバータの出力に接続された入力を有する第２インバータと、前記第２インバータの出力に接続された入力および前記第１インバータの入力に接続された出力を有する第２トランスファーゲートとを備え、
前記第２ラッチの第２出力端子は、第１トランスファーゲートの出力、前記第１インバータの入力、および前記第２トランスファーゲートの出力との接続端子である
請求項１または請求項２に記載の半導体集積回路。
【請求項５】
前記第１ラッチおよび前記第３ラッチはマスターラッチであり、前記第２ラッチおよび前記第４ラッチはスレーブラッチである請求項１乃至請求項４のいずれか１項に記載の半導体集積回路。
【請求項６】
第１入力回路、第１ラッチ、第２ラッチ、および第１出力回路を備える第１フリップフロップと、
第２入力回路、第３ラッチ、第４ラッチ、および第２出力回路を備える第２フリップフロップと、
を具備し、
前記第２ラッチの出力端子は、前記第１出力回路の入力端子に接続され、かつ前記第２入力回路の入力端子に直接接続される
半導体集積回路。
【請求項７】
前記第２ラッチの出力端子と前記第１出力回路の出力端子とは、逆位相の信号を出力する請求項６に記載の半導体集積回路。
【請求項８】
前記第２入力回路は、前記第２入力回路の入力端子である入力を有するトランスファーゲートを備える請求項６または請求項７に記載の半導体集積回路。
【手続補正２】
【補正対象書類名】明細書
【補正対象項目名】００１０
【補正方法】変更
【補正の内容】
【００１０】
実施形態による半導体集積回路は、第１入力回路、第１ラッチ、第２ラッチ、および第１出力回路を備える第１フリップフロップと、第２入力回路、第３ラッチ、第４ラッチ、および第２出力回路を備える第２フリップフロップと、前記第１フリップフロップおよび前記第２フリップフロップに共通のクロック信号を出力するクロックバッファと、を具備する。前記第２ラッチの第１出力端子は前記第１出力回路の入力端子に接続され、前記第２ラッチの第２出力端子は前記第２入力回路の入力端子に直接接続され、前記第２入力回路は、前記第２ラッチの第２出力端子に接続される入力を有するクロックドインバータを備える。
【手続補正書】
【提出日】平成29年8月8日(2017.8.8)
【手続補正１】
【補正対象書類名】特許請求の範囲
【補正対象項目名】全文
【補正方法】変更
【補正の内容】
【特許請求の範囲】
【請求項１】
現場を監視するように構成されたカメラであって、
透明カバーガラス（５）と、
前記カバーガラスを介して前記現場の画像のストリームを取得するように構成された画像取得部（７）と、
前記画像取得部から前記画像のストリームを受け取るように構成された画像処理部（９）とを備え、
前記カバーガラスは、前記カメラの視野内の、前記カバーガラスに接触している物体の位置を感知するように構成されたタッチセンサ（２１）を備え、
前記カメラは、
前記カバーガラスに接触している物体の位置に一致する画像領域からの画像データにより低い重み付けを付与するか又はこれを完全に無視するために、タッチセンサデータと組み合わされた画像データに基づいて、前記画像取得部の撮像設定の自動決定を制御するか、
前記カバーガラスに接触している物体の位置に一致する画像領域で検出された事象を、その他の画像で検出された事象と異なって通知するか、又は前記カバーガラスに接触している物体の位置に一致する画像領域を事象検出から除外するために、タッチセンサデータと組み合わされた画像データに基づいて、前記画像処理部の事象検出を制御するか、
前記カバーガラスに接触している物体の位置に一致する画像領域の画像解像度を低下させるために、タッチセンサデータと組み合わされた画像データに基づいて、前記画像処理部の画像データの量の低減を制御するか
のうち少なくとも一つを行うように構成されている、カメラ。
【請求項２】
前記タッチセンサは、容量式タッチセンサ又は光学式イングラスセンサのうち少なくとも一方を備える、請求項１に記載のカメラ。
【請求項３】
前記撮像設定は、焦点設定、露光設定、ホワイトバランス設定、ＩＲカットフィルタモード、又はアイリス制御設定のうち少なくとも１つを含む、請求項１に記載のカメラ。
【請求項４】
前記カバーガラスに接触している物体の位置に一致する画像領域で検出された事象を無視するよう、前記画像処理部を制御するように構成されている、請求項１から３の何れか一項に記載のカメラ。
【請求項５】
前記画像処理部は、
現在の画像を一以上の前の画像と又は背景モデルと比較することなどにより、前記画像内の変化又は動きの存在を検出することと、
顔、人物、車両、ナンバープレートなど特定の外観を有する被写体の存在を検出することと
のうち少なくとも１つによって、前記画像内の事象を検出するように構成されている、請求項１から４の何れか一項に記載のカメラ。
【請求項６】
タッチセンサデータが仮想画像ストリームの形態で提供される、請求項１から５の何れか一項に記載のカメラ。
【請求項７】
前記タッチセンサデータが、前記カバーガラスに接触している物体の前記位置を示す画像座標の組の形態で提供される、請求項１から６の何れか一項に記載のカメラ。
【請求項８】
カメラによって現場を監視する方法であって、
画像取得部によって、透明カバーガラスを介して前記現場の画像のストリームを取得するステップ（６０１）と、
画像処理部によって、前記画像のストリームを受け取るステップ（６０３）と、
前記カバーガラスに含まれるタッチセンサによって、前記カメラの視野内の、前記カバーガラスに接触している物体の位置を感知するステップ（６０５）と、
前記カバーガラスに接触している物体の位置に一致する画像領域からの画像データにより低い重み付けを付与するか又はこれを完全に無視することにより、タッチセンサデータと組み合わされた画像データに基づいて、前記画像取得部の撮像設定の自動決定を制御するステップか、
前記カバーガラスに接触している物体の位置に一致する画像領域で検出された事象を、その他の画像で検出された事象と異なって通知するか、又は前記カバーガラスに接触している物体の位置に一致する画像領域を事象検出から除外することにより、タッチセンサデータと組み合わされた画像データに基づいて、前記画像処理部の事象検出を制御するステップか、
前記カバーガラスに接触している物体の位置に一致する画像領域の画像解像度を低下させることにより、タッチセンサデータと組み合わされた画像データに基づいて、前記画像処理部の画像データの量の低減を制御するステップ
のうち少なくとも一つを行う制御するステップ（６０７）と
を含む、方法。
【請求項９】
前記画像処理部の事象検出は、前記カバーガラスに接触している物体の位置に一致する画像領域で検出された事象を無視することを含む、請求項８に記載の方法。
【請求項１０】
事象検出は、
現在の画像を一以上の前の画像と又は背景モデルと比較することなどにより、前記画像内の変化又は動きの存在を検出することと、
顔、人物、車両、ナンバープレートなど特定の外観を有する被写体の存在を検出することと
のうち少なくとも１つを含む、請求項８又は９に記載の方法。
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
データセンターであって、
前記データセンターの外側の環境とインターフェイスするチムニー構造体（５０２ｂ）と；
床及び前記チムニー構造体に結合された１つ以上のハウジング（５０３）であって、各ハウジングは、複数のサーバー（５０４）をもつ１つ以上のラックを備え、そして各サーバーは、速度を変更し又は方向を反転することのできるコンピュータファン（５０６）を備えたものであるハウジングと；
前記１つ以上のハウジングと環境との間の複数のフィルタ（５０７）と；
（ａ）壁の少なくとも１つがロールアップ壁（５１０）であるか、又は（ｂ）前記壁の少なくとも１つ（５１４）が１つ以上のルーバーを有する、複数の壁と；を備え、
前記データセンターは、前記壁のそれぞれが前記複数のフィルタのそれぞれのフィルタと前記データセンターの外側の前記環境の間にあるように動作できること、を特徴とするデータセンター。
【請求項２】
それぞれのフィルタはメッシュフィルタである、請求項１に記載のデータセンター。
【請求項３】
サーバー付近の空気の温度測定値に少なくとも一部分基づいて前記ロールアップ壁を巻き上げることか又は下げることに適合しているコントローラを更に備えた、請求項１に記載のデータセンター。
【請求項４】
前記温度測定値は、前記サーバーの製造者によって決定された許容温度変化率を越える温度変化率が生じたかどうか決定するために使用される、請求項３に記載のデータセンター。
【請求項５】
前記許容温度変化率は、おおよそ１時間以内に９°Ｆの下降である、請求項４に記載のデータセンター。
【請求項６】
ロールアップ壁は手動で動作されるか、１つ以上のルーバーを含むそれぞれの壁は手動で動作される、請求項１に記載のデータセンター。
【請求項７】
前記サーバー付近の空気の温度測定値に少なくとも一部分基づいて前記１つ以上のルーバーを開閉することに適合したコントローラ（５０８）を更に備えた、請求項６に記載のデータセンター。
【請求項８】
前記温度測定値は、前記サーバーの製造者によって決定された許容温度変化率を越える温度変化率が生じたかどうか決定するために使用される、請求項７に記載のデータセンター。
【請求項９】
前記許容温度変化率は、おおよそ１時間以内に９°Ｆの下降である、請求項８に記載のデータセンター。
【請求項１０】
前記チムニー構造体へ空気を押し出すか又は引っ張ることに適合したファン（５１５）を前記チムニー構造体の中に更に備えた、請求項１に記載のデータセンター。
【請求項１１】
前記サーバー付近の空気の温度測定値に少なくとも一部分基づいて前記ファンを制御することに適合したコントローラ（５０８）を更に備えた、請求項１０に記載のデータセンター。
【請求項１２】
前記温度測定値は、前記サーバーの製造者によって決定された許容温度変化率を越える温度変化率が生じたかどうか決定するために使用される、請求項１１に記載のデータセンター。
【請求項１３】
前記許容温度変化率は、おおよそ１時間以内に９°Ｆの下降である、請求項１２に記載のデータセンター。
【請求項１４】
前記チムニー構造体は、そのチムニー構造体を通過する空気を暖めるコンポーネント又は材料を含む、請求項１に記載のデータセンター。
【請求項１５】
前記チムニー構造体は、前記床に結合した屋根裏部屋に含まれる、請求項１に記載のデータセンター。
【手続補正２】
【補正対象書類名】図面
【補正対象項目名】図１
【補正方法】変更
【補正の内容】
【図１】
2017055137.tif 000001
【手続補正３】
【補正対象書類名】図面
【補正対象項目名】図２
【補正方法】変更
【補正の内容】
【図２】
2017055137.tif 000002
【手続補正４】
【補正対象書類名】図面
【補正対象項目名】図３
【補正方法】変更
【補正の内容】
【図３】
2017055137.tif 000003
【手続補正５】
【補正対象書類名】図面
【補正対象項目名】図４
【補正方法】変更
【補正の内容】
【図４】
2017055137.tif 000004
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
赤色、緑色、及び青色のレーザ光を合波して出力する光アセンブリであって、
赤色、緑色、及び青色の３つの波長域のうち第１の波長域に含まれる第１のレーザ光を出射し、第１サブマウントを介してベース部材の主面上に搭載されている第１のレーザダイオードと、
前記３つの波長域のうち第２の波長域に含まれる第２のレーザ光を出射し、第２サブマウントを介して前記ベース部材の前記主面上に搭載されている第２のレーザダイオードと、
前記３つの波長域のうち第３の波長域に含まれる第３のレーザ光を出射し、第３サブマウントを介して前記ベース部材の前記主面上に搭載されている第３のレーザダイオードと、
前記第１のレーザ光をコリメートし第１サブベース部材を介して前記ベース部材の前記主面上に搭載されている第１コリメートレンズと、
前記第２のレーザ光をコリメートし第２サブベース部材を介して前記ベース部材の前記主面上に搭載されている第２コリメートレンズと、
前記第３のレーザ光をコリメートし第３サブベース部材を介して前記ベース部材の前記主面上に搭載されている第３コリメートレンズと、
前記第２の波長域に含まれる第４のレーザ光を出射する第４のレーザダイオードと、
前記第３の波長域に含まれる第５のレーザ光を出射する第５のレーザダイオードと、
前記第４のレーザ光を透過する第１のλ／２板と、
前記第５のレーザ光を透過する第２のλ／２板と、
前記第１のλ／２板を透過した前記第４のレーザ光と、前記第２コリメートレンズによりコリメートされた前記第２のレーザ光との偏波合成を行う第１の偏波フィルタと、
前記第２のλ／２板を透過した前記第５のレーザ光と、前記第３コリメートレンズによりコリメートされた前記第３のレーザ光との偏波合成を行う第２の偏波フィルタと、
前記ベース部材の前記主面上に搭載され、前記第１コリメートレンズによりコリメートされた前記第１のレーザ光を透過し、前記第１の偏波フィルタから出力される第１の出力光を反射する第１の波長フィルタであって、前記第１のレーザ光と前記第１の出力光の光軸が互いに一致している第１の合波光を出射する前記第１の波長フィルタと、
前記第１の波長フィルタとは独立した別体であり、前記ベース部材の前記主面上に搭載され、前記第１の合波光に対して透過を行い、前記第２の偏波フィルタから出力される第２の出力光を反射する第２の波長フィルタであって、前記第１の合波光と前記第２の出力光の光軸が互いに一致している第２の合波光を出射する前記第２の波長フィルタと、
を備え、
前記第１ないし第３のレーザ光の光軸が、前記ベース部材の前記主面を基準として実質的に同一の高さにある、
光アセンブリ。
【請求項２】
前記第２及び第４のレーザ光の中心波長が互いに異なり、前記第３及び第５のレーザ光の中心波長が互いに異なる、請求項１に記載の光アセンブリ。
【請求項３】
前記第１ないし第３のレーザダイオードは、前記第１ないし第３サブマウントに直接搭載されており、
前記第１ないし第３サブマウントは、前記主面に直接搭載されている、
請求項１又は２に記載の光アセンブリ。
【請求項４】
前記第１ないし第３サブマウントのそれぞれは単一の部材であり、
前記第１ないし第３コリメートレンズは、対応する第１ないし第３のレーザ光に対して光軸調整された状態で前記ベース部材の主面上に搭載されており、
前記第１の波長フィルタは、前記第１及び第２のレーザ光に対して光軸調整された状態で前記ベース部材の主面上に搭載されており、
前記第２の波長フィルタは、前記第１の合波光に含まれる前記第１及び第２のレーザ光と、前記第３のレーザ光と、に対して光軸調整された状態で前記ベース部材の主面上に搭載されている、
請求項１〜３の何れか一項に記載の光アセンブリ。
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
第１の符号化画像データを持つ第１のストリームおよび第２の符号化画像データを持つ第２のストリームを多重化して多重化ストリームを得ると共に、該多重化ストリームに、上記第１のストリームに対応させて該第１のストリームのレベル指定値を挿入し、上記第２のストリームに対応させて上記第１のストリームおよび上記第２のストリームを合わせたビットストリームのレベル指定値を挿入する多重化部と、
上記多重化部で得られた多重化ストリームを送信する送信部を備える
送信装置。
【請求項２】
動画像データを構成する各ピクチャの画像データを階層符号化し、低階層側のピクチャの符号化画像データを持つ上記第１のストリームと高階層側のピクチャの符号化画像データを持つ上記第２のストリームを生成する画像符号化部をさらに備える
請求項１に記載の送信装置。
【請求項３】
上記符号化画像データはＮＡＬユニット構造を有し、上記画像符号化部は、上記第１のストリームのＳＰＳのＮＡＬユニットに、上記第１のストリームおよび上記第２のストリームを合わせたビットストリームのレベル指定値と共に上記第１のストリームのレベル指定値を挿入する
請求項１に記載の送信装置。
【請求項４】
多重化部が、第１の符号化画像データを持つ第１のストリームおよび第２の符号化画像データを持つ第２のストリームを多重化して多重化ストリームを得ると共に、該多重化ストリームに、上記第１のストリームに対応させて該第１のストリームのレベル指定値を挿入し、上記第２のストリームに対応させて上記第１のストリームおよび上記第２のストリームを合わせたビットストリームのレベル指定値を挿入する多重化ステップと、
送信部が、上記多重化ステップで得られた多重化ストリームを送信する送信ステップを有する
送信方法。
【請求項５】
第１の符号化画像データを持つ第１のストリームと第２の符号化画像データを持つ第２のストリームを含むと共に、上記第１のストリームに対応して該第１のストリームのレベル指定値を含み、上記第２のストリームに対応して上記第１のストリームおよび上記第２のストリームを合わせたビットストリームのレベル指定値を含む多重化ストリームを受信する受信部と、
デコード能力に応じて、上記受信された多重化ストリームに含まれる上記第１のストリームに、あるいは上記第１のストリームおよび上記第２のストリームの双方にデコード処理をする処理部を備える
受信装置。
【請求項６】
上記処理部は、さらに、上記デコードを行って得られた各ピクチャの画像データのフレームレートを表示能力に合わせる処理をする
請求項５に記載の受信装置。
【請求項７】
受信部が、第１の符号化画像データを持つ第１のストリームと第２の符号化画像データを持つ第２のストリームを含むと共に、上記第１のストリームに対応して該第１のストリームのレベル指定値を含み、上記第２のストリームに対応して上記第１のストリームおよび上記第２のストリームを合わせたビットストリームのレベル指定値を含む多重化ストリームを受信する受信ステップと、
処理部が、デコード能力に応じて、上記受信された多重化ストリームに含まれる上記第１のストリームに、あるいは上記第１のストリームおよび上記第２のストリームの双方にデコード処理をする処理ステップを有する
受信方法。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
行列状に配列された複数の画素を含む画素アレイと、
各々が前記画素アレイの列に対応して設けられ、前記画素の信号に基づく信号をデジタル信号に変換するＡ／Ｄ変換部を含む複数の信号処理部と、を有する光電変換装置であって、
前記光電変換装置は、さらに
前記複数の信号処理部の一部の複数の信号処理部と、信号出力部とを各々が含む複数の組と、
駆動信号伝送部と、を有し、
前記駆動信号伝送部は、駆動信号が入力され、前記駆動信号をバッファする第１のバッファ回路と、前記第１のバッファ回路の出力が入力される第２のバッファ回路とを有し、
前記複数の組の一の組の前記信号出力部に前記第１のバッファ回路の出力が入力され、
前記複数の組の別の組の前記信号出力部に前記第２のバッファ回路の出力が入力されることを特徴とする光電変換装置。
【請求項２】
前記駆動信号伝送部は、前記第１のバッファ回路と前記第２のバッファ回路を含むとともに、直列に接続された複数のバッファ回路を含む第１のバッファ回路群と、
前記駆動信号とは別の第２の駆動信号が入力され、直列に接続された複数のバッファ回路を含む第２のバッファ回路群とを有し、
前記第２のバッファ回路群の前記複数のバッファ回路のうちの一のバッファ回路の出力が前記一の組に入力され、
前記第２のバッファ回路群の前記複数のバッファ回路のうちの別のバッファ回路の出力が前記別の組に入力されることを特徴とする請求項１に記載の光電変換装置。
【請求項３】
各々が、前記組に対応して設けられ、対応する前記組に含まれる複数の前記信号処理部を選択する複数の列選択部を有し、
前記複数の列選択部の各々は、前記第２のバッファ回路群に含まれるバッファ回路から供給される信号が与えられること
を特徴とする請求項２に記載の光電変換装置。
【請求項４】
前記複数の組の各々は、前記信号出力部として、前記一部の複数の信号処理部のデジタル信号を受けるブロック出力部を有し、
前記一の組の前記ブロック出力部は、対応する前記一部の複数の信号処理部が出力したデジタル信号または、前記別の組の前記ブロック出力部が出力したデジタル信号を出力することを特徴とする請求項１〜３のいずれかに記載の光電変換装置。
【請求項５】
前記複数の組の各々は、前記信号出力部として、前記一部の複数の信号処理部のデジタル信号を受けるブロック出力部を有し、
前記複数の信号処理部の各々は、前記Ａ／Ｄ変換部から出力されたデジタル信号を保持するメモリ部を有し、
前記複数の組の各々は、前記一部の複数の信号処理部の各々の前記メモリ部が接続されたブロック信号線を有し、
前記一の組のブロック信号線には、前記一の組の前記メモリ部のデジタル信号と、前記別の組の前記ブロック出力部から出力される、前記別の組の前記メモリ部のデジタル信号とが入力されることを特徴とする請求項１〜３のいずれかに記載の光電変換装置。
【請求項６】
前記複数の組の各々は、前記信号出力部として、前記一部の複数の信号処理部のデジタル信号を、前記駆動信号に同期して出力する同期化回路を有し、
前記一の組の前記同期化回路は、対応する前記一部の複数の信号処理部が出力したデジタル信号または、前記別の組の前記同期化回路が出力したデジタル信号を出力することを特徴とする請求項１〜３のいずれかに記載の光電変換装置。
【請求項７】
前記複数の信号処理部の各々は、前記Ａ／Ｄ変換部から出力されたデジタル信号を保持するメモリ部を有し、
前記複数の組の各々は、前記信号出力部として、信号選択部を有し、
前記一の組の前記信号選択部は、前記一の組の前記メモリ部が出力する前記デジタル信号と、前記別の組から出力される前記デジタル信号との一方を出力することを特徴とする請求項１または２に記載の光電変換装置。
【請求項８】
請求項１〜７のいずれかに記載の光電変換装置と、
前記複数の画素に像を形成する光学系と、
前記光電変換装置から出力された信号を処理して画像データを生成する映像信号処理部と、を備えたこと
を特徴とする撮像システム。
【手続補正２】
【補正対象書類名】明細書
【補正対象項目名】０００８
【補正方法】変更
【補正の内容】
【０００８】
本発明の一つの側面は、行列状に配列された複数の画素を含む画素アレイと、各々が前記画素アレイの列に対応して設けられ、前記画素の信号に基づく信号をデジタル信号に変換するＡ／Ｄ変換部を含む複数の信号処理部と、を有する光電変換装置であって、前記光電変換装置は、さらに前記複数の信号処理部の一部の複数の信号処理部と、信号出力部とを各々が含む複数の組と、駆動信号伝送部と、を有し、前記駆動信号伝送部は、駆動信号が入力され、前記駆動信号をバッファする第１のバッファ回路と、前記第１のバッファ回路の出力が入力される第２のバッファ回路とを有し、前記複数の組の一の組の前記信号出力部に前記第１のバッファ回路の出力が入力され、前記複数の組の別の組の前記信号出力部に前記第２のバッファ回路の出力が入力されることを特徴とする光電変換装置である。
【手続補正３】
【補正対象書類名】明細書
【補正対象項目名】０００９
【補正方法】削除
【補正の内容】
【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
遠心圧縮機及びサイレンサを備える圧縮装置であって、
前記遠心圧縮機は、
流体を圧縮するためのインペラと、
前記インペラを収容し前記流体を案内するための案内筒と、
前記案内筒を通過した前記流体を外部へ案内するスクロール室を形成するスクロールケーシングと、
前記案内筒の入口側と前記スクロールケーシングとを締結する圧縮機組立用ボルトと、
を含み、
前記サイレンサは、前記インペラの回転軸線方向に沿って前記サイレンサ全体を貫通するとともに前記サイレンサと前記スクロールケーシングとを締結するサイレンサ組立用ボルトを含む、圧縮装置。
【請求項２】
前記サイレンサは、
前記インペラの回転軸線と交差する方向に延在する第１側壁と、
前記第１側壁と前記遠心圧縮機との間において前記回転軸線の周りに設けられ、前記案内筒に外気を導くための外気導入空間を前記第１側壁との間に形成する環状の第２側壁と、を含み、
前記サイレンサ組立用ボルトは、前記インペラの回転軸線に沿う方向に前記第１側壁から前記スクロールケーシングまで延在し、前記第１側壁、前記第２側壁及び前記スクロールケーシングを締結する、請求項１に記載の圧縮装置。
【請求項３】
前記サイレンサはさらに、前記外気導入空間に設けられた少なくとも一つのサイレンサエレメントを含み、
前記サイレンサエレメントは、前記サイレンサ組立用ボルトによって前記外気導入空間内に支持される、請求項２に記載の圧縮装置。
【請求項４】
前記少なくとも一つのサイレンサエレメントは、前記回転軸線に沿って配列される複数のサイレンサエレメントを含み、
前記複数のサイレンサエレメントの各々は、前記回転軸線の周りに設けられた環状のエレメントであり、前記サイレンサ組立用ボルトが挿通される挿通孔を有し、前記挿通孔に挿通された前記サイレンサ組立用ボルトによって前記外気導入空間内に支持される、請求項３に記載の圧縮装置。
【請求項５】
前記スクロールケーシングは、前記スクロール室を形成するスクロール室形成部と、前記スクロール室形成部から前記サイレンサ側に突出する環状の第１突出部と、前記第１突出部よりも前記インペラの径方向における外側に位置し、前記スクロール室形成部から前記サイレンサ側に突出する環状の第２突出部と、
を有し、
前記圧縮機組立用ボルトは、前記案内筒の入口側と前記第１突出部とを締結し、
前記サイレンサ組立用ボルトは、前記サイレンサ及び前記第２突出部を締結する、請求項１に記載の圧縮装置。
【請求項６】
前記第２突出部は、前記第１突出部よりも前記サイレンサ側に突出するとともに前記サイレンサに当接しており、
前記第１突出部と前記第２突出部の間に形成される空間が前記案内筒の内側の空間と連通するように、前記案内筒と前記サイレンサとの間に間隙が設けられている、請求項５に記載の圧縮装置。
【請求項７】
前記サイレンサ組立用ボルトは、前記スクロールケーシングに形成されたボルト穴に螺合している、請求項１から６の何れか一項に記載の圧縮装置。
【請求項８】
前記インペラが破断してインペラ破片が前記案内筒に衝突した場合でも、該衝突の衝撃が、前記案内筒から直接的に前記サイレンサ組立用ボルトに伝達されることはなく、前記案内筒から前記スクロールケーシングを介して前記サイレンサ組立用ボルトに伝達されるように構成される請求項１から７の何れか一項に記載の圧縮装置。
【請求項９】
前記サイレンサは前記案内筒には接触していない、請求項１から８の何れか一項に記載の圧縮装置。
【請求項１０】
前記遠心圧縮機は、
前記案内筒の出口側において、前記案内筒の外周側に嵌合され、前記案内筒の内部と前記スクロール室とを連通するディフューザ通路を形成するディフューザ部材と、
前記ディフューザ部材と前記スクロールケーシングとを締結するボルトと、をさらに含む、請求項１から９の何れか一項に記載の圧縮装置。
【請求項１１】
請求項１乃至１０の何れか１項に記載の圧縮装置と、前記圧縮装置の前記遠心圧縮機とともに回転するタービンとを備える過給機。
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
シリンダチューブと、
前記シリンダチューブに挿入されるピストンロッドと、
前記ピストンロッドの先端に連結され前記シリンダチューブ内をロッド側室とボトム側室とに区画するピストンと、
前記ピストンロッドの外周に設けられ伸長作動時のストローク端付近で前記ピストンロッドを減速させるクッション部と、
前記ロッド側室に連通し前記ロッド側室に給排される作動流体が通過する給排通路と、
前記シリンダチューブに設けられ伸長作動時のストローク端付近で前記クッション部が当接する当接部と、を備え、
前記クッション部は、伸長作動時のストローク端付近で前記当接部に当接するクッションリングと、前記ピストンロッドの外周面に形成される凹部に収容された状態で前記ピストンロッドに対する前記クッションリングの相対移動を規制する規制部と、を有し、
伸長作動時のストローク端付近で前記クッションリングと前記当接部とが当接するのに伴い、前記給排通路と前記ロッド側室との直接の連通が前記クッションリングによって遮断されると共に前記規制部が前記凹部から脱出して前記ピストンロッドに対する前記クッションリングの相対移動が許容され、通過する作動流体に抵抗を付与するクッション通路を通じて前記ロッド側室の作動流体が前記給排通路から排出されることを特徴とする流体圧シリンダ。
【請求項２】
前記規制部は、前記クッションリングの外周面と内周面とを挿通し径方向に移動自在に設けられる規制ピンであることを特徴とする請求項１に記載の流体圧シリンダ。
【請求項３】
前記規制部は、それぞれ前記クッションリングの外周及び内周に設けられ拡縮可能に形成される一対の規制リングであることを特徴とする請求項１に記載の流体圧シリンダ。
【請求項４】
前記規制部は、前記クッションリングに軸方向に隣接して設けられ合口隙間を有して拡縮可能に形成される拡縮リングであることを特徴とする請求項１に記載の流体圧シリンダ。
【請求項５】
前記クッションリングは、前記拡縮リングに対向する端面の内側に形成される中央凹部を有し、
前記拡縮リングは、前記中央凹部に挿入される中央段部を有し、
前記拡縮リングが前記ピストンロッドの前記凹部に収容された状態では、前記中央凹部と前記中央段部との間には径方向隙間が形成され、
前記拡縮リングが拡張して前記凹部から脱出した状態では、前記中央段部が前記中央凹部に接触することを特徴とする請求項４に記載の流体圧シリンダ。
【請求項６】
前記規制部または前記凹部の少なくとも一方には、前記クッションリングと前記当接部とが当接する状態からの前記ピストンロッドの伸長方向への移動に伴い、前記規制部を径方向外側に押し出して前記凹部から脱出させる脱出案内部が形成されることを特徴とする請求項１から５のいずれか一つに記載の流体圧シリンダ。
【請求項７】
前記シリンダチューブの内周面は、前記ピストンが摺動する摺動面と、前記摺動面よりも大きな内径に形成される大径面と、を有し、
前記規制部は、前記摺動面との当接によって前記凹部からの脱出が規制され、前記大径面に対向することにより前記凹部からの脱出が許容されることを特徴とする請求項１、２、４、５、６のいずれか一つに記載の流体圧シリンダ。
【請求項８】
前記シリンダチューブの内周面は、前記摺動面と前記大径面との間に形成される内周段差部をさらに有し、
前記規制部または前記内周段差部の少なくとも一方には、前記クッションリングと前記当接部とが当接する状態からの前記ピストンロッドの収縮方向への移動に伴い、前記規制部を径方向内側に押し出して前記凹部に収容させる収容案内部が形成されることを特徴とする請求項７に記載の流体圧シリンダ。
【請求項９】
前記クッションリングと前記当接部とが当接した状態において、前記規制部と前記内周段差部との間には、軸方向の隙間が形成されることを特徴とする請求項８に記載の流体圧シリンダ。
【請求項１０】
前記クッション通路は、前記クッションリングに着脱可能に設けられるオリフィスプラグに形成されることを特徴とする請求項１から９のいずれか一つに記載の流体圧シリンダ。